(57)【特許請求の範囲】
【請求項１】
天井面から垂下されたネジ棒に着脱可能に設置され、脱落防止用安全帯に連結されたフックを掛けるための脱落防止用安全帯のフック保持装置であって、
前記ネジ棒のネジ溝と係合する係止部を有する第１の開閉板と、前記ネジ棒の前記ネジ溝と係合する係止部を有する第２の開閉板と、前記第１の開閉板の一端側と前記第２の開閉板の一端側とを回動自在に連結する開閉支点軸と、前記第１の開閉板および前記第２の開閉板を閉じた状態で前記第１の開閉板および前記第２の開閉板を挟持する回転規制部材と、前記回転規制部材に形成された前記フックを掛ける取付穴を形成するリング部を有し、
前記回転規制部材は前記第１の開閉板の他端側における一角に回動自在に連結され、
前記第１の開閉板の前記係止部を前記ネジ棒の前記ネジ溝に嵌合させるとともに、前記第２の開閉板の前記係止部を前記ネジ棒にかぶせて嵌合させることで、前記ネジ棒は前記第１の開閉板の前記係止部と前記第２の開閉板の前記係止部に対して螺合することを特徴とするフック保持装置。
【請求項２】
前記第２の開閉板は前記回転規制部材と前記第１の開閉板の連結部に対応する位置に切欠を有することを特徴とする請求項１に記載のフック保持装置。
【請求項３】
前記回転規制部材は、前記第１の開閉板および前記第２の開閉板を挟持した状態で、前記第１の開閉板の表面を押える第１の板部と、前記第２の開閉板の表面を押える第２の板部と、前記第１および第２の板部を連結する連結部とを有することを特徴とする請求項１または請求項２に記載の脱落防止用安全帯のフック保持装置。
【請求項４】
前記回転規制部材は、前記第１の開閉板および前記第２の開閉板を挟持した状態で、前記回転規制部材の回動をロックするロック手段を有することを特徴とする請求項１から請求項３のいずれかに記載のフック保持装置。
【請求項５】
前記回転規制部材は前記第１の開閉板の他端側における一角に枢軸により連結されたことを特徴とする請求項１または請求項２に記載のフック保持装置。
【請求項６】
前記回転規制部材および前記第１の開閉板の連結部は、前記回転規制部材に形成された長孔と、前記第１の開閉板に設けられた前記長孔に貫通する軸で回動可能に連結されたことを特徴とする請求項１または請求項２に記載のフック保持装置。
【請求項７】
前記回転規制部材および前記第１の開閉板の連結部は、前記第１の開閉板に形成された長孔と、前記回転規制部材に設けられた前記長孔に貫通する軸で回動可能に連結されたことを特徴とする請求項１または請求項２に記載のフック保持装置。
【請求項８】
前記ロック手段は、前記第１の開閉板および前記第２の開閉板を挟持した状態で、前記第１の開閉板、第２の開閉板および前記回転規制部材を貫通する小孔と、前記小孔に挿通するピンで形成されたことを特徴とする請求項４に記載のフック保持装置。
【発明の詳細な説明】
【技術分野】
【０００１】
本発明は、天井面から垂下されたネジ棒に着脱可能に設置され、脱落防止用安全帯や負荷を受ける荷重部のフックを掛けるためのフック保持装置に関する。
【背景技術】
【０００２】
従来、天井面から垂下されたネジ棒を利用した脱落防止用安全帯のフック保持装置は提案されていない。以下には、天井面から垂下されたネジ棒を利用した配管支持金物について図７から図９を用いて説明する（特許文献１参照）。
作業者が高所において配管支持金物を使用して作業する場合、係止部２の吊りボルト１２５を天井材Ｂに埋設して係止部２を予め天井材Ｂの所定個所に取り付ける。そして、配管材Ａを床起きした状態で、配管材Ａの所定個所に支持部１を取り付け、その後にこの支持部１を取り付けた配管材Ａを脚立足場Ｌ等を利用して天井材Ｂ近傍まで持上げ、連結部３により配管材Ａに取り付けられた支持部１と天井材Ｂに取り付けられた係止部２とをワンタッチで連結して、配管材Ａを天井材Ｂに吊り下げ支持する。
そして、このように配管材Ａを吊り下げ支持した後に、プッシュロック型固着具１４０を係止本体１２３と弾性延長部１３５とに押し込んで両者を固着する。
この配管支持金物は、配管材Ａの外周面を狭持するように支持する支持部１のうち、開閉自在な半円帯状支持体１１０の端部に延設されたフランジ１１２から、垂直延長部１３３を介して斜め下がりの固定フック１３４を延設し、吊りボルト１２５によって天井材Ｂに吊り下げられる係止部２のうち、係止本体１２３の側縁１２２の下端部内側に、上方にのみ回転する斜め上がりの開閉フック１３２を回転自在に取り付け、床作業によって配管材Ａに取り付けられた支持部１ごと、固定フック１３４を押し上げ開閉フック１３２の上方に位置させることで、開閉フック１３２上に固定フック１３４を掛けて、支持部１及びそれに支持された配管材Ａを係止部２にワンタッチで吊り下げ支持するものである。
また、建築現場などにおける足場の縦部材に安全帯のフックを掛合する安全帯取付具が提案されている。すなわち、足場の縦部材に外嵌可能な環状の取付部と、安全帯のフックが掛合可能な環状部と、環状部へ作用する下向き荷重に応じて縦部材の外周面を押圧する押圧部とを有し、取付部によって足場の縦部材に外嵌し、環状部にフックを掛合することで、足場の縦部材に安全帯のフックを掛合させるものである（たとえば、特許文献２参照）。
【特許文献１】実開平６−４３４６４号公報
【特許文献２】特開平９−１６３５３１号公報
【発明の開示】
【発明が解決しようとする課題】
【０００３】
特許文献１の配管支持金物は、係止部２の吊りボルト１２５を天井材Ｂに埋設して係止部２を予め天井材Ｂの所定個所に取り付けておき、配管材Ａの所定個所に支持部１を取り付けた後に、支持部１の取り付けられた配管材Ａを脚立足場Ｌ等を利用して天井材Ｂ近傍まで持ち上げ、連結部３により配管材Ａに取り付けられた支持部１と天井材Ｂに吊り下げ支持するものであるが、重いものを持ち上げる時に作業者の落下等の危険があった。
特許文献２の安全帯取付具は、建築現場などにおける足場の縦部材に安全帯のフックを掛合するもので、屋内の天井面から垂下されたネジ棒に着脱するものではない。
【０００４】
そこで本発明は、天井面から垂下されたネジ棒に、着脱作業が容易で、しかも作業者の安全帯のフックが外れることのないフック保持装置を提供することを目的とする。
【課題を解決するための手段】
【０００５】
請求項１記載の本発明のフック保持装置は、天井面から垂下されたネジ棒に着脱可能に設置され、脱落防止用安全帯に連結されたフックを掛けるための脱落防止用安全帯のフック保持装置であって、前記ネジ棒のネジ溝と係合する係止部を有する第１の開閉板と、前記ネジ棒の前記ネジ溝と係合する係止部を有する第２の開閉板と、前記第１の開閉板の一端側と前記第２の開閉板の一端側とを回動自在に連結する開閉支点軸と、前記第１の開閉板および前記第２の開閉板を閉じた状態で前記第１の開閉板および前記第２の開閉板を挟持する回転規制部材と、前記回転規制部材に形成された前記フックを掛ける取付穴を形成するリング部を有し、前記回転規制部材は前記第１の開閉板の他端側における一角に回動自在に連結され、前記第１の開閉板の前記係止部を前記ネジ棒の前記ネジ溝に嵌合させるとともに、前記第２の開閉板の前記係止部を前記ネジ棒にかぶせて嵌合させることで、前記ネジ棒は前記第１の開閉板の前記係止部と前記第２の開閉板の前記係止部に対して螺合することを特徴とする。
請求項２記載の本発明は、請求項１に記載のフック保持装置において、前記第２の開閉板は前記回転規制部材と前記第１の開閉板の連結部に対応する位置に切欠を有することを特徴とする。
請求項３記載の本発明は、請求項１または請求項２に記載のフック保持装置において、前記回転規制部材は、前記第１の開閉板および前記第２の開閉板を挟持した状態で、前記第１の開閉板の表面を押える第１の板部と、前記第２の開閉板の表面を押える第２の板部と、前記第１および第２の板部を連結する連結部とを有することを特徴とする。
請求項４記載の本発明は、請求項１から請求項３のいずれかに記載のフック保持装置において、前記回転規制部材は、前記第１の開閉板および前記第２の開閉板を挟持した状態で、前記回転規制部材の回動をロックするロック手段を有することを特徴とする。
請求項５記載の本発明は、請求項１または請求項２に記載のフック保持装置において、前記回転規制部材は前記第１の開閉板の他端側における一角に枢軸により連結されたことを特徴とする。
請求項６記載の本発明は、請求項１または請求項２に記載のフック保持装置において、前記回転規制部材および前記第１の開閉板の連結部は、前記回転規制部材に形成された長孔と、前記第１の開閉板に設けられた前記長孔に貫通する軸で回動可能に連結されたことを特徴とする。
請求項７記載の本発明は、請求項１または請求項２に記載のフック保持装置において、前記回転規制部材および前記第１の開閉板の連結部は、前記第１の開閉板に形成された長孔と、前記回転規制部材に設けられた前記長孔に貫通する軸で回動可能に連結されたことを特徴とする。
請求項８記載の本発明は、請求項４に記載のフック保持装置において、前記ロック手段は、前記第１の開閉板および前記第２の開閉板を挟持した状態で、前記第１の開閉板、第２の開閉板および前記回転規制部材を貫通する小孔と、前記小孔に挿通するピンで形成されたことを特徴とする。
【発明の効果】
【０００６】
本発明によれば、天井面から垂下されたネジ棒に取り付けるフック保持装置の構造がきわめて簡単な構成とするとともに、着脱作業がきわめて容易で、しかも作業者の安全帯のフックが外れることのないフック保持装置を提供することができる。
また、本発明のフック保持装置をネジ棒に取り付ける場合は、一定の高さの脚立足場やローリングタワーで作業しながら、第１の開閉板の係止部にネジ棒を嵌め込み、第２の開閉板をかぶせて、回転規制部材により第１の開閉板および第２の開閉板を挟持するという簡単な作業で行うことができる。
【発明を実施するための最良の形態】
【０００７】
本発明の第１の実施の形態によるフック保持装置は、天井面から垂下されたネジ棒のネジ溝と係合する係止部を有する第１の開閉板と第２の開閉板の一端側を開閉支点軸で回動自在に連結し、第１の開閉板の係止部をネジ棒のネジ溝に嵌合させるとともに、第２の開閉板の係止部をネジ棒にかぶせて嵌合させることで、ネジ棒は第１の開閉板の係止部と第２の開閉板の係止部に対して螺合し、第１の開閉板および第２の開閉板を閉じた状態で、フックを掛けるリング部を有して第１の開閉板の一角に回動自在に連結されている回転規制部材で、第１の開閉板および第２の開閉板を挟持するものである。本実施の形態によれば、第１の開閉板と第２の開閉板の係止部によりネジ棒を挟み、回転規制部材により第１の開閉板および第２の開閉板を挟持して天井面から垂下されたネジ棒に対してフック保持装置を簡単に設置することができる。
本発明の第２の実施の形態は、第１の実施の形態によるフック保持装置において、第２の開閉板における回転規制部材と第１の開閉板の連結部に対応する位置に切欠を設けたものである。本実施の形態によれば、回転規制部材と第１の開閉板の連結部の形状にかかわらず、第１の開閉板と第２の開閉板を確実に密着させて閉じることができる。
本発明の第３の実施の形態は、第１または第２の実施の形態によるフック保持装置において、回転規制部材を第１の開閉板および第２の開閉板を挟持する一対の板部とこの一対の板部を連結する連結部で構成したものである。本実施の形態によれば、回転規制部材の構成が簡単であり、しかも、回転規制部材を回動させて閉じることにより、第１の開閉板と第２の開閉板でネジ棒を挟み、確実に密着させて閉じることができる。
本発明の第４の実施の形態は、第１から第３の実施の形態によるフック保持装置において、回転規制部材が第１の開閉板および第２の開閉板を挟持した状態で、回転規制部材の回動をロックする手段を有するものである。本実施の形態によれば、フック保持装置の使用中に第１の開閉板および第２の開閉板が開いてネジ棒から外れることを確実に防止することができる。
本発明の第５の実施の形態は、第１または第２の実施の形態によるフック保持装置において、回転規制部材と第１の開閉板が枢軸で連結されたものである。本実施の形態によれば、回転規制部材を簡単な構成により第１の開閉板に回動自在に連結することができる。
本発明の第６の実施の形態は、第１または第２の実施の形態によるフック保持装置において、回転規制部材および第１の開閉板を、回転規制部材に形成された長孔に第１の開閉板に設けられた軸を貫通させて回動可能に連結したものである。本実施の形態によれば、回転規制部材を簡単な構成により第１の開閉板に回動自在に連結するとともに、回転規制部材の第１および第２の開閉板に対する位置を微調整することができる。
本発明の第７の実施の形態は、第１または第２の実施の形態によるフック保持装置において、回転規制部材および第１の開閉板を、第１の開閉板に形成された長孔に回転規制部材に設けられた軸を貫通させて回動可能に連結したものである。本実施の形態によれば、回転規制部材を簡単な構成により第１の開閉板に回動自在に連結するとともに、回転規制部材の第１および第２の開閉板に対する位置を微調整することができる。
本発明の第８の実施の形態は、第４の実施の形態によるフック保持装置において、ロック手段を、第１の開閉板、第２の開閉板および回転規制部材を貫通する小孔にピンを挿通させて構成したものである。本実施の形態によれば、簡単な構成で回転規制部材を第１の開閉板および第２の開閉板にロックすることができる。
【実施例１】
【０００８】
以下、本発明の一実施例を図面に従って説明する。なお、以下の説明においては、脱落防止用安全帯のフック保持装置の実施例について説明する。
図１は本発明の実施例１による脱落防止用安全帯のフック保持装置を天井面から垂下されたネジ棒に取り付けた設置状態を示す図で、（ａ）は側面図、（ｂ）は平面図、図２は図１のＡ−Ａ線断面図、図３は同装置のロック解除状態を示す側面図、図４は同装置の展開状態を示す側面図である。
本実施例による脱落防止用安全帯のフック保持装置は、図４に示すように、第１の開閉板１０と第２の開閉板２０からなる一対の開閉板を有しており、第１の開閉板１０の一端側と第２の開閉板２０の一端側とは開閉支点軸３１により回動自在に連結されている。第２の開閉板２０の他端側の上部一角には切欠２４が形成されている。第２の開閉板２０を図４のように開いた状態では、図１（ｂ）の破線で示す位置にある。第１の開閉板１０および第２の開閉板２０には、天井面から垂下されたネジ棒４１のネジ溝と係合する係止部１１、２１が形成されている。また、第１の開閉板１０の下部には小孔１２が、第２の開閉板２０の下部には小孔２２が形成されている。
第１の開閉板１０の他端側には、第１の開閉板１０および第２の開閉板２０を閉じたときに第１の開閉板１０および第２の開閉板２０を挟持する回転規制部材５１が形成されている。回転規制部材５１は、図２に示すように、第１の開閉板１０および第２の開閉板２０を挟持したときに、第１の開閉板１０の表面を押える第１の板部５２と、第２の開閉板２０の表面を押える第２の板部５３と、第１の板部５２および第２の板部５３を連結する連結部５４とから構成された断面がコ字形の形状をしている。
回転規制部材５１の第２の板部５３における上部一角には切欠５５が形成されており、この切欠５５に対応する位置における回転規制部材５１の第１の板部５２と第１の開閉板１０の上方の一角が枢軸５６により回動自在に連結されている。枢軸５６はたとえばボルトおよびナットの組み合わせで構成される。切欠５５の位置は、第１の開閉板１０および第２の開閉板２０を閉じたときの第２の開閉板２０の切欠２４の位置に対応する。回転規制部材５１には脱落防止用安全帯のフック（図示省略）を掛ける取付穴６１を形成するリング部６２が形成されている。リング部６２は、フックが配置される一端側を狭く、他端側を広くした三角形状の開口であることが好ましい。回転規制部材５１の第１の板部５２および第２の板部５３の下部には各々を貫通する小孔５７が形成されている。
【０００９】
つぎに本実施例による脱落防止用安全帯のフック保持装置を天井面から垂下されたネジ棒４１に取り付ける方法を説明する。
まず、図４に示すように、回転規制部材５１を枢軸５６を中心に上方に回動させ、第２の開閉板２０を開いた状態にして第１の開閉板１０の係止部１１をネジ棒４１に嵌合させ、第２の開閉板２０を開閉支点軸３１を中心に回動させて閉じると、図３に示すように、第２の開閉板２０の切欠２４により枢軸５６部分が露出した状態で第２の開閉板２０が第１の開閉板１０と重なり合う。この結果、第２の開閉板２０の係止部２１がネジ棒４１にかぶさって嵌合する。したがって、ネジ棒４１は第１の開閉板１０の係止部１１と第２の開閉板２０の係止部２１に対して螺合する。
つぎに、回転規制部材５１を枢軸５６を中心に下方に回動させると、図１（ａ）、図１（ｂ）および図２に示すように、回転規制部材５１の第１の板部５２が第１の開閉板１０の端部を、第２の板部５３が第２の開閉板２０の端部を挟持して第１の開閉板１０および第２の開閉板２０が開くことを規制する。このとき、回転規制部材５１の小孔５７と第１の開閉板１０の小孔１２および第２の開閉板２０の小孔２２が互いに重なって貫通孔を形成するので、この貫通孔にピン（図示省略）を挿通させることにより回転規制部材５１を第１の開閉板１０および第２の開閉板２０にロックすることができる。したがって、第１の開閉板および第２の開閉板が開いてネジ棒４１から外れることを確実に防止することができる。なお、回転規制部材５１の小孔５７の位置が第１の開閉板１０の小孔１２および第２の開閉板２０の小孔２２の位置とずれている場合には、回転規制部材５１の枢軸５６を通す孔に遊びを持たせたり、実施例２のように長孔とすることにより微調整をすることができる。
このように、ネジ棒４１と第１の開閉板１０の係止部１１および第２の開閉板２０の係止部２１が螺合しているので、フック保持装置を天井面から垂下されたネジ棒４１に確実に取り付けることができる。したがって、リング部６２の取付穴６１に脱落防止用安全帯のフックを掛けることにより、天井面から垂下されたネジ棒４１に脱落防止用安全帯を確実かつ安全に連結することができる。
【実施例２】
【００１０】
図５は本発明の実施例２による脱落防止用安全帯のフック保持装置を天井面から垂下されたネジ棒に取り付けた設置状態を示す側面図、図６は同装置の展開状態を示す側面図である。図１（ａ）および図４と同一部分には同一符号を付して説明を省略する。
本実施例は実施例１におけるフック保持装置のロック機構を改良したものであり、第１の開閉板１０および第２の開閉板２０を閉じることにより第１の開閉板１０の係止部１１および第２の開閉板２０の係止部１１でネジ棒４１を螺合させ、回転規制部材５１を下方に回転させて回転規制部材５１で第１の開閉板１０および第２の開閉板２０を挟持することにより第１の開閉板１０および第２の開閉板２０が開くことを規制する構成は実施例１と同様である。
本実施例においては、回転規制部材５１の第１の板部５２と第１の開閉板１０との連結部を、実施例１における枢軸５６を使用せずに、第１の開閉板１０の上部一角に設けた固定軸１５と回転規制部材５１の第１の板部５２における上部一角に形成された第１の板部５２の長さ方向に伸びる長孔５８で構成する。すなわち、回転規制部材５１の長孔５８内に第１の開閉板１０の固定軸１５を挿通させ、回転規制部材５１を第１の開閉板１０に対して長孔５８の長さ方向に移動可能に連結する。
一方、回転規制部材５１の第１の板部５２および第２の板部５３には鉤形の切込み５９が形成され、第１の開閉板１０および第２の開閉板２０の各々の表面には、回転規制部材５１を閉じて第１の開閉板１０および第２の開閉板２０を挟持したときの回転規制部材５１の鉤形の切込み５９に対応する位置に軸１６および軸２６が植立されている。なお、第１の開閉板１０および第２の開閉板２０の各々の表面に軸１６および軸２６を植立させる代わりに、第１の開閉板１０および第２の開閉板２０に貫通軸を設けるようにしてもよい。
【００１１】
つぎに本実施例による脱落防止用安全帯のフック保持装置を天井面から垂下されたネジ棒４１に取り付ける方法を説明する。
まず、図６に示すように、回転規制部材５１を上方に回動させ、第２の開閉板２０を開いた状態にして第１の開閉板１０の係止部１１をネジ棒４１に嵌合させ、第２の開閉板２０を開閉支点軸３１を中心に回動させて閉じると、第２の開閉板２０の切欠２４により固定軸１５と長孔５８部分が露出した状態で第２の開閉板２０が第１の開閉板１０と重なり合う。この結果、第２の開閉板２０の係止部２１がネジ棒４１にかぶさって嵌合する。したがって、ネジ棒４１は第１の開閉板１０の係止部１１と第２の開閉板２０の係止部２１に対して螺合する。
つぎに、回転規制部材５１を図６の矢印Ｃ方向に押しながら、すなわち、固定軸１５が回転規制部材５１の長孔５８の下端部に接する状態にして矢印Ｄ方向に回動させると、回転規制部材５１の第１の板部５２が第１の開閉板１０の端部を、第２の板部５３が第２の開閉板２０の端部を挟持して第１の開閉板１０および第２の開閉板２０が開くことを規制する。このとき、回転規制部材５１の鉤形の切込み５９内に第１の開閉板１０および第２の開閉板２０に植立された軸１６および軸２６が侵入する。つぎに、回転規制部材５１を図５の矢印Ａ方向に引くと、図５に示すように、第１の開閉板１０および第２の開閉板２０の軸１６および軸２６が回転規制部材５１の鉤形の切込み５９の最奥部に嵌合する。したがって、回転規制部材５１は図５の矢印Ｂ方向への回動が規制されてロックされる。したがって、第１の開閉板および第２の開閉板が開いてネジ棒４１から外れることを確実に防止することができる。
【００１２】
以上の説明においては、固定軸１５を回転規制部材５１に、長孔５８を第１の開閉板１０に形成したが、固定軸１５を第１の開閉板１０に、長孔５８を回転規制部材５１に形成してもよい。
また、以上の説明においては、回転規制部材５１に鉤形の切込み５９を形成し、第１の開閉板１０および第２の開閉板２０の各々の表面に軸１６および軸２６を植立したが、回転規制部材５１の第１の板部５２および第２の板部５３の間に軸を懸架させ、第１の開閉板１０および第２の開閉板２０の各々に鉤形の切込みを形成し、両者が閉じたときに鉤形の切込みが重なり合って同一形状となるように形成し、回転規制部材５１を図６の矢印Ｄ方向に回動させて閉じたときに回転規制部材５１の第１の板部５２および第２の板部５３の間に懸架している軸が第１の開閉板１０および第２の開閉板２０の鉤形の切込み内に侵入させるようにしてもよい。
【００１３】
以上説明した各実施例では、脱落防止用安全帯のフック保持装置を例に説明したが、リング部６１に負荷を受ける荷重部を掛けることにより各種の負荷保持装置として用いることができる。
【産業上の利用可能性】
【００１４】
本発明によるフック保持装置は、工事現場において用いられる脱落防止用安全帯のフック保持装置や負荷を受ける荷重部を掛けるための各種の負荷保持装置のフック保持装置として有用である。また、ネジ溝が全体に形成された全ネジ棒以外に、ネジ溝が一部に形成された部分ネジ棒へのフック保持装置として利用することができる。
【図面の簡単な説明】
【００１５】
【図１】本発明の実施例１による脱落防止用安全帯のフック保持装置を天井面から垂下されたネジ棒に取り付けた設置状態を示す図で、（ａ）は側面図、（ｂ）は平面図
【図２】図１のＡ−Ａ線断面図
【図３】同装置のロック解除状態を示す側面図
【図４】同装置の展開状態を示す側面図
【図５】本発明の実施例２による脱落防止用安全帯のフック保持装置を天井面から垂下されたネジ棒に取り付けた設置状態を示す側面図
【図６】同装置の展開状態を示す側面図
【図７】配管支持金物の従来例を示す図
【図８】配管支持金物の従来例を示す図
【図９】配管支持金物の従来例を示す図
【符号の説明】
【００１６】
１０  第１の開閉板
１１  係止部
１２  小孔
１５  固定軸
１６  軸
２０  第２の開閉板
２１  係止部
２２  小孔
２４  切欠
２６  軸
３１  開閉支点軸
４１  ネジ棒
５１  回転規制部材
５２  第１の板部
５３  第２の板部
５４  連結部
５５  切欠
５６  枢軸
５７  小孔
５８  長孔
５９  切込み
６１  取付穴
６２  リング部
【図１】
0004781090.tif 000002
【図２】
0004781090.tif 000003
【図３】
0004781090.tif 000004
【図４】
0004781090.tif 000005
【図５】
0004781090.tif 000006
【図６】
0004781090.tif 000007
【図７】
0004781090.tif 000008
【図８】
0004781090.tif 000009
【図９】
0004781090.tif 000010